(57)【要約】【課題】浴槽側壁に設けられた浴湯噴出口に、浴湯噴出口を浴槽内の所望の位置まで延長可能にするアタッチメントを取り付けた場合に、噴射流中の気泡と湯水との比率を調整可能な浴槽水循環装置を提供する。【解決手段】浴湯吸入口と、浴湯噴出口と、空気吸込路と、上記浴湯を上記浴槽との間で循環させる循環ポンプと、上記浴湯噴出口に着脱自在に接続可能なアタッチメントとを有する浴槽水循環装置において、上記浴湯噴出口近傍に位置し、上記循環ポンプから上記循環ポンプから吐出された浴湯を上記浴湯噴出口を指向して噴射する噴射ノズルと、上記アタッチメントの接続部から上記噴射ノズル側へ延出し、該噴射ノズルに対して進退自由に取設された筒状のカプラとを有し、該カプラを上記噴射ノズルに対して進退させることにより上記空気吸入路の上記噴射ノズルに対する開口面積比を可変とし、上記アタッチメントへ吐出される浴湯と空気との比率を変更可能にする気泡調整機構を備える。【選択図】  図３
2007068552.tif 000002
【特許請求の範囲】
【請求項１】
浴槽内の湯を浴槽側面から外部へ導出する浴湯吸入口と、該浴湯吸入口から導出された浴湯を浴槽側面から浴槽内へ導入する浴湯噴出口と、一端を外部から空気を取り込む開放口とし他端が上記浴湯噴出口に連通して取り込まれた空気を上記浴湯に混入させる空気吸込路と、上記浴湯吸入口から導出された浴湯を吸入し上記浴湯噴出口から上記浴槽内に吐出して該浴湯を上記浴槽との間で循環させる循環ポンプと、上記浴湯噴出口に着脱自在に接続可能な接続部を一端とし上記浴湯噴出口から噴出された噴射流を誘導する可撓性を有するホースを介して他端に噴射流を吐出するノズルを設けたアタッチメントとを有する浴槽水循環装置において、
上記浴湯噴出口近傍に位置し上記循環ポンプから上記循環ポンプから吐出された浴湯を上記浴湯噴出口を指向して噴射する噴射ノズルと、上記アタッチメントの接続部から上記噴射ノズル側へ延出し該噴射ノズルに対して進退自由に取設された筒状のカプラとを有し、該カプラを上記噴射ノズルに対して進退させることにより上記空気吸入路の上記噴射ノズルに対する開口面積比を可変とし、上記アタッチメントへ吐出される浴湯と空気との比率を変更可能にする気泡調整機構を備えることを特徴とする浴槽水循環装置。
【請求項２】
浴槽内の湯を浴槽側面から外部へ導出する浴湯吸入口と、該浴湯吸入口から導出された浴湯を浴槽側面から浴槽内へ導入する浴湯噴出口と、一端を外部から空気を取り込む開放口とし他端が上記浴湯噴出口に連通して取り込まれた空気を上記浴湯に混入させる空気吸込路と、上記浴湯吸入口から導出された浴湯を吸入し上記浴湯噴出口から上記浴槽内に吐出して該浴湯を上記浴槽との間で循環させる循環ポンプと、上記浴湯噴出口に着脱自在に接続可能な接続部を一端とし上記浴湯噴出口から噴出された噴射流を誘導する可撓性を有するホースを介して他端に噴射流を吐出するノズルを設けたアタッチメントとを有する浴槽水循環装置において、
上記浴湯噴出口近傍に位置し上記循環ポンプから上記循環ポンプから吐出された浴湯を上記浴湯噴出口を指向して噴射する噴射ノズルと、上記アタッチメントの接続部から上記噴射ノズル側へ延出し該噴射ノズルに対して回動自由に取設された側面に開口を有する筒状のカプラとを有し、該カプラを上記噴射ノズルに対して回動させることにより上記空気吸入路の上記噴射ノズルに対する開口面積比を可変とし、上記アタッチメントへ吐出される浴湯と空気との比率を変更可能にする調整機構を備えることを特徴とする浴槽水循環装置。
【発明の詳細な説明】
【技術分野】
【０００１】
本発明は、浴槽水を循環させ、この循環水に気泡を混入させた噴射流を人体表面に当てマッサージ効果等を与える浴槽水の循環装置に係り、特に浴槽側壁に設けられた浴湯噴出口に着脱自在に接続され、浴湯噴出口を所望の位置まで延長可能にするアタッチメントを有する浴槽水循環装置に関する。
【背景技術】
【０００２】
近年、生活レベルの向上に伴って、一般家庭における浴室に対しても、より快適な入浴を楽しめるよう様々な装置が追加されるようになってきた。そのような装置の一つに浴槽水循環装置がある。これは、浴槽内の湯水に対して、気泡を混入させた湯水を浴槽内に臨んで設けた噴射ノズルから勢いよく噴射させ、浴槽内の湯水を流動させることによって入浴者の身体に温熱効果やリラックス効果をもたらそうとするものである。また、この噴流を肌に当てることにより得られる心地よい刺激がマッサージ効果をもたらす。
【０００３】
ところが、この刺激は、噴出口からの距離が大きくなるに従って弱くなるところ、噴出口は固定されて位置を変えることはできないので、入浴者が刺激を得られる人体の部位も限られ、好みの部位に刺激を感じることができないという問題がある。
【０００４】
この問題を解決するものとして、噴出口に着脱自在に嵌合できる継手部を一端とし、かつ噴射流を誘導する可撓ホースを介して他端に噴射流を吐出する開放口を設けた局部噴射用ホースを備えたものが知られている（例えば、特許文献１，２参照。）。
【０００５】
これとは別に、浴槽内の湯水をシャワーや洗濯或いは清掃の際の水として利用することを目的として、噴出口にシャワー用や洗濯機用のホース端部とワンタッチで接続される継ぎ手を有するものもあるが（例えば、特許文献３参照。）、これも噴出口に延長ホースを接続できる点で類似の構造を有するものである。
【特許文献１】特開平３−２０２０６２号公報
【特許文献２】実開平４−８１５９０号公報
【特許文献３】特開２０００−１３９７５０号公報
【発明の開示】
【発明が解決しようとする課題】
【０００６】
ところで、これらの着脱自在な局部噴射用ホースは、浴槽に固定された噴射口を単純に延長させただけのものであり、噴射される湯水と気泡との比率を変えることはできない。浴槽に固定された噴射口から直接噴射される場合であれば特に問題もないが、可撓性を有するとは言えホース内に気泡を混入させた湯水を送出すると、曲がり部分で気泡が固まって大きくなり、所望の刺激が得られない事態が生じても対応することができない。
【０００７】
また、気泡の湯水に対する比率が高いほど強い刺激が得られるが、それが腹部等に対してであれば心地よい刺激であっても、腕等細い部位に対しては強すぎて痛いと感じることもある。マッサージ感も、年齢が増すにつれマイルドな刺激を好むようになる等個人差もある。全く気泡を含まない湯水のみによる温熱効果やリラックス効果を求める人もいよう。このようなことは、浴槽に固定された噴射口から直接噴射させる場合には特に問題とならなかった。
【０００８】
本発明は、上述した事情を考慮してなされたもので、浴槽側壁に設けられた浴湯噴出口に、浴湯噴出口を浴槽内の所望の位置まで延長可能にするアタッチメントを取り付けた場合に、噴射流中の気泡と湯水との比率を調整可能な浴槽水循環装置を提供することを目的とするものである。
【課題を解決するための手段】
【０００９】
本発明に係る浴槽水循環装置は、上述した課題を解決するために、請求項１に記載したように、浴槽内の湯を浴槽側面から外部へ導出する浴湯吸入口と、該浴湯吸入口から導出された浴湯を浴槽側面から浴槽内へ導入する浴湯噴出口と、一端を外部から空気を取り込む開放口とし他端が上記浴湯噴出口に連通して取り込まれた空気を上記浴湯に混入させる空気吸込路と、上記浴湯吸入口から導出された浴湯を吸入し上記浴湯噴出口から上記浴槽内に吐出して該浴湯を上記浴槽との間で循環させる循環ポンプと、上記浴湯噴出口に着脱自在に接続可能な接続部を一端とし、上記浴湯噴出口から噴出された噴射流を誘導する可撓性を有するホースを介して他端に噴射流を吐出するノズルを設けたアタッチメントとを有する浴槽水循環装置において、上記浴湯噴出口近傍に位置し上記循環ポンプから上記循環ポンプから吐出された浴湯を上記浴湯噴出口を指向して噴射する噴射ノズルと、上記アタッチメントの接続部から上記噴射ノズル側へ延出し該噴射ノズルに対して進退自由に取設された筒状のカプラとを有し、該カプラを上記噴射ノズルに対して進退させることにより上記空気吸入路の上記噴射ノズルに対する開口面積比を可変とし、上記アタッチメントへ吐出される浴湯と空気との比率を変更可能にする気泡調整機構を備えるものである。
【００１０】
また、上述した課題を解決するために、請求項２に係る浴槽水循環装置は、浴槽内の湯を浴槽側面から外部へ導出する浴湯吸入口と、該浴湯吸入口から導出された浴湯を浴槽側面から浴槽内へ導入する浴湯噴出口と、一端を外部から空気を取り込む開放口とし他端が上記浴湯噴出口に連通して取り込まれた空気を上記浴湯に混入させる空気吸込路と、上記浴湯吸入口から導出された浴湯を吸入し上記浴湯噴出口から上記浴槽内に吐出して該浴湯を上記浴槽との間で循環させる循環ポンプと、上記浴湯噴出口に着脱自在に接続可能な接続部を一端とし上記浴湯噴出口から噴出された噴射流を誘導する可撓性を有するホースを介して他端に噴射流を吐出するノズルを設けたアタッチメントとを有する浴槽水循環装置において、上記浴湯噴出口近傍に位置し上記循環ポンプから上記循環ポンプから吐出された浴湯を上記浴湯噴出口を指向して噴射する噴射ノズルと、上記アタッチメントの接続部から上記噴射ノズル側へ延出し該噴射ノズルに対して回動自由に取設された側面に開口を有する筒状のカプラとを有し、該カプラを上記噴射ノズルに対して回動させることにより上記空気吸入路の上記噴射ノズルに対する開口面積比を可変とし、上記アタッチメントへ吐出される浴湯と空気との比率を変更可能にする調整機構を備えるものである。
【発明の効果】
【００１１】
本発明に係る浴槽水循環装置によれば、浴槽側壁に設けられた浴湯噴出口に、浴湯噴出口を浴槽内の所望の位置まで延長可能にするアタッチメントを取り付けた場合に、噴射流中の気泡と湯水との比率を調整することが可能となる。
【発明を実施するための最良の形態】
【００１２】
本発明に係る浴槽水循環装置の一実施形態について、添付図面を参照して説明する。図１は、本実施形態に係る浴槽水循環装置の全体的な概要を示すものである。
【００１３】
本実施形態に係る浴槽水循環装置１は、浴槽２の側面に固定されたポンプユニット１０と、ポンプユニット１０に着脱可能に接続され、浴槽２内の任意の位置で気泡が混入した浴湯の噴射流を噴射するアタッチメント６０とを備える。 
そして、浴槽水循環装置１には、通常浴室ユニットの天井裏等に設置されこのポンプユニット１０に電力を供給する電源ボックス３と、浴槽２のリム面に設けられ、ポンプユニット１０のＯＮ・ＯＦＦ及び強弱をトグル的に操作するスイッチ４とが加えられる。
【００１４】
図２に、ポンプユニット１０の詳細断面図を示す。ポンプユニット１０は、浴槽２の側面に設けられた開口部にＵパッキン２３を取付け、浴槽２内面より固定ケース１２を挿入し浴槽２の裏面からナットにより締付けられ固定される。
【００１５】
ポンプユニット１０は、ポンプ本体２５と、ポンプ本体２５にネジ固定されたモータ２６と、モータ２６のモータ軸２７に固定されたインペラ２８と、ポンプ本体２５前面から  挿入されポンプ本体２５との空間でポンプ室ＰＣを形成するとともにポンプ室ＰＣへのゴミ等の流入を防止するフィルター３５と、ポンプ本体２５の浴槽２側を着脱可能に掩蔽するカバー３４とを備える。
【００１６】
このカバー３４の下端には開口が設けられ、この開口が浴湯吸込口１８として機能する。また、ポンプ本体２５の浴槽２側の一部が開口され、噴射ノズル２９として機能する。
【００１７】
また、噴射ノズル２９によって形成され浴湯の噴出により負圧を発生させる空気混合部ＭＣに連通する空気吸込流路２１をポンプ本体２５に開口すると共に空気吸込流路２１の途中には浴槽からの水の流出を防止する逆止弁２０が配設されていてもよい。また、ポンプ本体２５の外周に形成された凹部４１にＯリング４２が配設され、ポンプ本体２５は、リングナット３６により、浴槽２に固定された固定ケース１２に水密に取り付けられる。 
斯かる浴槽水循環装置１における動作を以下に説明する。入浴者が浴槽水循環運転を行うためスイッチ４を操作し、ポンプユニット１０に駆動信号が送られると、モータ軸２７の駆動によりインペラ２８が回転しポンプユニット１０の浴湯吸入口１８に負圧が発生することで、浴湯がフィルター３５を介してポンプ室ＰＣに流入する。ポンプ室ＰＣで加圧された浴湯は噴射ノズル２９からアタッチメント６０を経由して浴槽２内に噴出される（図２に示すＷＦ）。
【００１８】
その際、空気混合部ＭＣに発生する負圧により空気吸込流路２１から空気が流入し、空気混合部ＭＣで浴湯と混合されアタッチメント６０先端の吐水ノズル５３から噴出される（図２に示すＡＦ）。
【００１９】
他方、アタッチメント６０は、ポンプユニット１０と着脱自在に接続されるプラグ７０を一端とし、ポンプユニット１０から噴射された噴射流を導出する可撓性を有するホース６１と、導出された噴射流を吐水する吐水ノズル６２を他端に備える。ホース６１は、塩化ビニル等の材料で長さ１３００〜１６００ｍｍに形成され、可撓性を有するのみならず、曲げた場合に屈曲部が圧潰しない強度を有するものである。
【００２０】
このアタッチメント７０が接続される空気混合部ＭＣの下流側には、アタッチメント６０のプラグ７０と嵌合するソケット５０がポンプ本体２５に螺設される。これらプラグ７０及びソケット５０は、着脱自在なワンタッチ継手４９を構成する。以下、このワンタッチ継手４９について、図３を参照して説明する。
【００２１】
プラグ７０は、両端が開放した略筒状の本体７１と、本体７１からその直径方向に迫り出す一対のプッシュ部７２と、このプッシュ部７２を本体７１に接続するコイルばね７３とから構成される。
【００２２】
本体７１の一端はホース６１に接続され、他端にはカプラ７４が接続されている。本体７１のカプラ７４側には、直径方向に一対、凹陥部７１ａが設けられ、この凹陥部７１ａにプッシュ部７２が収納される。
【００２３】
プッシュ部７２は、一端が開口したカップ状に形成された本体７２ａの開口近傍からカプラ７４側へと頸部７２ｂが延出し、頸部７２ｂの先端には、ソケット５０と係合する係合部７２ｃが、直径方向外側へ膨出する。
【００２４】
プッシュ部７２はまた、その突起７２ｄと本体７１の突起７１ｂとの間に外嵌されたコイルばねにより接続され、凹陥部７１ａの頂部に架設された抑止部７１ｃにより、コイルばね７３の付勢によりプッシュ部７２が凹陥部７１ａから飛び出さないよう抑止される。
【００２５】
ソケット５０は、プラグ挿通孔５１が形成された本体５２と、この本体５２の先端（取付時において浴槽２内に面する側）において、直径方向に設けられた一対の凹陥部５２ａ，５２ａに内設されたスライダ５３，５３とから構成される。この凹陥部５２ａは、プラグ本体５１の凹陥部７１ａに対向する位置に設けられる。
【００２６】
スライダ５３は、凹陥部５２ａ内を前後方向に摺動可能に形成された本体５３ａと、本体５３ａから先端側へ延出する係止部５３ｂと、係止部６３ｂの先端が折曲された爪部５３ｃとが一体的に構成される。
【００２７】
プラグ７０をソケット５０に差し込む際は、プラグ７０のプッシュ部７２を押圧しながら、プラグ７０をソケット５０側へ押し込むと、係合部７２ｃは係止部５３ｂ下を潜って凹陥部５２ａ内に進入し、そこでプッシュ部７２に対する押圧を開放すると、コイルばね７３付勢されて係合部７２ｃは係止部５３ｂ側に進出して、背面が爪部５３ｃに係合するので、プラグ７０は、ソケット５０に引き抜き不能に接続される。
【００２８】
逆にプラグ７０をソケット５０から引き抜く際は、プラグ７０のプッシュ部７２を押圧しながら、プラグ７０をソケット５０から引っ張れば、係合部７２ｃは係止部５３ｂ下を潜って凹陥部５２ａ内から抜け出し、引き抜くことができる。このワンタッチ継手４９は、本願発明に係る水量と空気量との比率を調整する気泡調整機構８０の一部を構成する。以下、この気泡調整機構８０について、図４に示す模式図を参照して説明する。
【００２９】
上述したようにワンタッチ継手４９を介してポンプユニット１０にアタッチメント６０が接続された後、図４（ｄ）において矢印（イ）に示す方向に、プラグ７０を使用者の手前側に引っ張ると、スライダ５３及びプラグ７０は浴槽２内へと引き出され、図４（ａ）に示すように、カプラ７４も浴槽２内部方向に移動し、空気混合部ＭＣに位置する噴射ノズル２９先端から離隔する。
【００３０】
そして、ポンプ本体２５が作動して水流ＷＦが起こされると、空気混合部ＭＣ内に負圧が生じ、空気吸込流路２１内の空気流ＡＦが空気混合部ＭＣへと流入し、水流ＷＦと混合されてアタッチメント６０へと流出する。この時、水流ＷＦに対する空気流ＡＦの比率が最大となる。
【００３１】
逆に、図４（ｄ）において矢印（ロ）に示す方向に、プラグ７０をポンプユニット１０側に押し込むと、スライダ５３及びプラグ７０はポンプ本体２５側へと押し込まれ、図４（ｂ）に示すように、カプラ７４もポンプ本体２５側に移動し、空気混合部ＭＣに位置する噴射ノズル２９先端に当接する。
【００３２】
そうすると、カプラ７４は、同図（ｃ）に示すように、単純な円筒状に形成されているので、水流ＷＦが起こされても空気吸込流路２１内の空気流ＡＦが流入することもない。この時、水流ＷＦに対する空気流ＡＦの比率はゼロとなり、したがって、最小となる。
【００３３】
そして、使用者は、プラグ７０を前後方向に移動させることにより、任意の水流ＷＦに対する空気流ＡＦの比率を得ることができる。この場合、スライダ５３の使用者から見える部分には、現在の気泡の比率が全開と全閉との間のどのくらいの位置にあるかを示す表示が付されていると便宜である。
【００３４】
なお、本実施形態では、スライダ７４をプラグ７０を前後に摺動させることによりソケット５０内をスライドさせているが、スライダ７４及びソケット本体５２にねじを螺刻し、スライダ７４をソケット５２に対して螺進・螺退させることにより前後に移動させる構成とすることもできる。
【００３５】
続いて、この気泡調整機構の幾つかの変形例を、同様に模式図を使って説明する。まず、第１の変形例に係る気泡調整機構8８０Ａは、図５（ｃ）に示すように、カプラ７４Ａの側面に空気流入孔７４ａを設けた点で、また、カプラ７４Ａの外径がプラグ挿入孔５１の内径と略一致する点で本実施形態におけるものと基本的に相違し、他の構成は本実施形態と実質的に同じであり、同じ符号を付して説明を省略する。
【００３６】
図５（ｄ）において矢印（イ）に示す方向に、プラグ７０を使用者の手前側に引っ張ると、スライダ５３及びプラグ７０は浴槽２内へと引き出され、図５（ａ）に示すように、カプラ７４Ａも浴槽２内部方向に移動し、空気流入孔７４ａが空気吸込流路２１の空気混合部ＭＣへの出口部分に位置して空気流入孔７４ａを完全に開放する。
【００３７】
そして、ポンプ本体２５が作動して水流ＷＦが起こされると、空気混合部ＭＣ内に負圧が生じ、空気吸込流路２１内の空気流ＡＦが空気混合部ＭＣへと流入し、水流ＷＦと混合されてアタッチメント６０へと流出する。この時、水流ＷＦに対する空気流ＡＦの比率が最大となる。
【００３８】
逆に、図４（ｄ）において矢印（ロ）に示す方向に、プラグ７０をポンプユニット１０側に押し込むと、スライダ５３及びプラグ７０はポンプ本体２５側へと押し込まれ、図４（ｂ）に示すように、カプラ７４Ａもポンプ本体２５側に移動し、空気流入孔７４ａが空気吸込流路２１の空気混合部ＭＣへの出口を閉塞する。
【００３９】
そうすると、水流ＷＦが起こされても、空気吸込流路２１内の空気流ＡＦが流入することもない。この時、水流ＷＦに対する空気流ＡＦの比率はゼロとなり、したがって、最小となる。そして、使用者は、プラグ７０を前後方向に移動させることにより、任意の水流ＷＦに対する空気流ＡＦの比率を得ることができる。
【００４０】
次に第２の変形例を図６を参照して説明する。第２の変形例に係る気泡調整機構８０Ｂは、図６（ｃ）に示すように、カプラ７４Ｂの側面に側面開口７４ｂを設けた点で、本実施形態におけるものと基本的に相違し、他の構成は本実施形態と実質的に同じであり、同じ符号を付して説明を省略する。
【００４１】
図６（ｄ）において矢印（イ）に示す方向に、プラグ７０を使用者の手前側に引っ張ると、スライダ５３及びプラグ７０は浴槽２内へと引き出され、図６（ａ）に示すように、カプラ７４Ｂも浴槽２内部方向に移動し、側面開口７４ｂは空気混合部ＭＣに位置する噴射ノズル２９先端から離隔する。
【００４２】
そして、ポンプ本体２５が作動して水流ＷＦが起こされると、空気混合部ＭＣ内に負圧が生じ、空気吸込流路２１内の空気流ＡＦが空気混合部ＭＣへと流入し、水流ＷＦと混合されてアタッチメント６０へと流出する。この時、水流ＷＦに対する空気流ＡＦの比率が最大となる。
【００４３】
逆に、図６（ｄ）において矢印（ロ）に示す方向に、プラグ７０をポンプユニット１０側に押し込むと、スライダ５３及びプラグ７０はポンプ本体２５側へと押し込まれ、図６（ｂ）に示すように、カプラ７４Ｂもポンプ本体２５側に移動し、側面開口７４ｂは噴射ノズル２９側面に当接して、側面開口７４ｂは閉塞される。
【００４４】
そうすると、水流ＷＦが起こされても、空気吸込流路２１内の空気流ＡＦがプラグ７０内に流入することもない。この時、水流ＷＦに対する空気流ＡＦの比率はゼロとなり、したがって、最小となる。そして、使用者は、プラグ７０を前後方向に移動させることにより、任意の水流ＷＦに対する空気流ＡＦの比率を得ることができる。
【００４５】
最後に、第３の変形例を図７を参照して説明する。第３の変形例に係る気泡調整機構８０Ｃは、上述した例と異なり、スライダ５３を有しておらず、スライド５３をスライドさせることに代えて、同図（ｄ）に示すように、プラグ７０を一定の角度回動させることにより気泡の量を調節するものである。これに伴い、カプラ７４Ｃの側面には空気流入孔７４ａが設けられる。また、噴射ノズル２９の外径はカプラ７４Ｃの内径と略一致して形成される、或いは、カプラ７４Ｃの外径がプラグ挿入孔５１の内径と略一致するように形成される。他の構成は本実施形態と実質的に同じであり、同じ符号を付して説明を省略する。
【００４６】
図７（ｄ）において矢印（イ）に示す方向に、プラグ７０を回転させると、空気流入孔７４ａが空気吸込流路２１の空気混合部ＭＣへの出口部分に位置して空気流入孔７４ａを完全に開放する。
【００４７】
そして、ポンプ本体２５が作動して水流ＷＦが起こされると、空気混合部ＭＣ内に負圧が生じ、空気吸込流路２１内の空気流ＡＦが空気混合部ＭＣへと流入し、水流ＷＦと混合されてアタッチメント６０へと流出する。この時、水流ＷＦに対する空気流ＡＦの比率が最大となる。
【００４８】
逆に、図７（ｄ）において矢印（ロ）に示す方向に、プラグ７０を回転させると、同図（ｂ）に示すように、空気流入孔７４ａが空気吸込流路２１の空気混合部ＭＣへの出口を閉塞する。
【００４９】
そうすると、水流ＷＦが起こされても、空気吸込流路２１内の空気流ＡＦが流入することもない。この時、水流ＷＦに対する空気流ＡＦの比率はゼロとなり、したがって、最小となる。そして、使用者は、プラグ７０を前後方向に移動させることにより、任意の水流ＷＦに対する空気流ＡＦの比率を得ることができる。
【００５０】
以上に説明した実施態様は説明のためのものであり、本発明の範囲を制限するものではない。従って、当業者であればこれらの各要素もしくは全要素をこれと均等なものによって置換した実施態様を採用することが可能であるが、これらの実施態様も本発明の範囲に含まれる。
【図面の簡単な説明】
【００５１】
【図１】本発明に係る浴槽水循環装置を備える浴槽の一実施形態の概要を示す図。
【図２】本実施形態に係る浴槽水循環装置の概要を示す図。
【図３】本実施形態に係る浴槽水循環装置のワンタッチ継手の部分拡大図。
【図４】本実施形態に係る浴槽水循環装置のエア吸入調節機構の第一の例を模式的に説明する図であって、（ａ）は全開時、（ｂ）は全閉時を示す図、（ｃ）はエア吸入調節機構のカプラの斜視図、（ｄ）はソケット上の気泡の有無の表示例を示す図。
【図５】本実施形態に係る浴槽水循環装置のエア吸入調節機構の第二の例を模式的に説明する図であって、（ａ）は全開時、（ｂ）は全閉時を示す図、（ｃ）はエア吸入調節機構のカプラの斜視図、（ｄ）はソケット上の気泡の有無の表示例を示す図。
【図６】本実施形態に係る浴槽水循環装置のエア吸入調節機構の第三の例を模式的に説明する図であって、（ａ）は全開時、（ｂ）は全閉時を示す図、（ｃ）はエア吸入調節機構のカプラの斜視図、（ｄ）はソケット上の気泡の有無の表示例を示す図。
【図７】本実施形態に係る浴槽水循環装置のエア吸入調節機構の第四の例を模式的に説明する図であって、（ａ）は全開時、（ｂ）は全閉時を示す図、（ｃ）はエア吸入調節機構のカプラの斜視図、（ｄ）はソケット上の気泡の有無の表示例を示す図。
【符号の説明】
【００５２】
１  浴槽水循環装置
２  浴槽
３  電源ボックス
４  スイッチ
１０  ポンプユニット
１２  固定ケース
１８  浴湯吸込口
１９  浴湯噴出口
２０  逆止弁
２１  空気吸込流路
２３  Ｕパッキン
２５  ポンプ本体
２６  モータ
２７  モータ軸
２８  インペラ
２９  噴射ノズル
３４  カバー
３５  フィルター
３６  リングナット
４１  凹部
４２  Ｏリング 
４９  ワンタッチ継手
５０  ソケット
６０  アタッチメント
６２  ホース
６３  吐水ノズル
７０  プラグ
７１  本体
７２  プッシュ部
７３  コイルばね
７４，７４Ａ，７４Ｂ，７４Ｃ  カプラ
８０，８０Ａ，８０Ｂ，８０Ｃ  気泡調整機構
ＡＦ  空気流
ＭＣ  空気混合部
ＰＣ  ポンプ室
ＷＦ  水流
【図１】
2007068552.tif 000003
【図２】
2007068552.tif 000004
【図３】
2007068552.tif 000005
【図４】
2007068552.tif 000006
【図５】
2007068552.tif 000007
【図６】
2007068552.tif 000008
【図７】
2007068552.tif 000009